(57)【要約】      （修正有）【課題】強い地震の揺れにより、懐中電灯が倒れることにより自動的に点灯する自動点灯機構を提供する。【解決手段】非伝導性の円筒容器１の底部に下向きの銅製のラッパ状のもの３を、容器蓋２の底部に上向きの銅製のラッパ状のもの４を、中央にしっかりと固定する。容器の蓋が完全に閉められた状態で、下向きのラッパ状のものと上向きのラッパ状のものとの間隔は約２〜３ｍｍとし、この間にパチンコ玉大の銅製の玉５を入れる。更に下向きのラッパ状のものと上向きのラッパ状のものとにコーティングした導線６，７をそれぞれ接続し、この導線の反対の端を懐中電灯のスイッチにパラレルに接続する。【選択図】図１
2006073492.tif 000002
【特許請求の範囲】
【請求項１】
立てて転んでピカーの懐中電灯（以下、本懐中電灯と称する）は、通常は立てて置き、強い地震がきたときに、その地震の振動により本懐中電灯が倒れると自動的に点灯するような機構を備えているもので、特に真夜中に地震で停電した場合に、避難用品などを探したりする時に、威力を発揮するものである。
【請求項２】
本懐中電灯が倒れると自動的に点灯する機構は、上下に銅製のラッパ状のもの（できるだけ伝導性の良いもの）が、約２〜３ｍｍの間隔をおいて非伝導性（例えばプラスチック製）の蓋付きの円筒の容器に、ラッパ状の円の大きい方がお互いに向き合うように、しっかりと固定する。
固定の仕方は、二つ銅製のラッパ状のものの一つは、円筒の容器の底に固定し、もう一つは容器の蓋の内側に固定する。
円筒の容器とその蓋にはそれぞれネジが刻まれていて、蓋を自由に取り外すことができる。
蓋を外したならば、約パチンコ玉の大きさの銅製の玉（できるだけ伝導性の良い玉が良い）を、二つ銅製のラッパ状のものの中に入るようにして、容器の蓋をしっかりと閉める。
この二つ銅製のラッパ状のものの円の小さい方の端に、互いにコーテング状の導線を接続（ハンダ付けなどにて）し、この導線の反対の端を懐中電灯のスイッチにパラレルに接続する。
尚、この蓋付き円筒の容器（以下、自動点灯機構部と称する）の懐中電灯への組み込みは、現在市販されている懐中電灯の種類が非常に多く、形状も種々雑多な為に、現在市販されている懐中電灯の全てに組み込む訳にはいかないが、細長いタイプでしかも単２以上のものであれば、ほぼ可能である。
但し、この自動点灯機構部は懐中電灯と一体化しなければならないので、全て新規製作となる。
更に、この自動点灯機構部は懐中電灯の後尾に収容する必要がある。
その理由は、この自動点灯機構部の中に入っている銅製の玉を取り出せば、普通の懐中電灯として使用できるからである。
銅製の玉を取り出すには、円筒の容器の蓋を開ける必要があるからである。この自動点灯機構部の中に入っている銅製の玉の用途は、本懐中電灯が倒れたときに、自動点灯機構部の中の二つの銅製のラッパ状のものが、この玉を通して導通するからであり、一種のスイッチの役目をするからである。
【発明の詳細な説明】
【技術分野】
【０００１】    本発明は、懐中電灯に関するものであり、通常は立てて置き、強い地震が発生したときに、その地震の振動によって本懐中電灯が倒れると自動的に点灯するような機構を備えているものである。
【背景技術】
【０００２】    従来から、懐中電灯は照明器具として利用されている。
【発明の開示】
【発明が達成しようとする目的】
【０００３】  しかし、従来の一般の懐中電灯は、地震が発生したからといって自動的に点灯することはできない。
阪神淡路の大地震により、６千数百人もの死者を出した事は、日本国民はもとより全世界の人々にも大きな衝撃を与えたはずである。
特に夜中に発生する突然の地震に対しての備えは十分に行なわれているだろうか？    強い地震には停電はつきものである。
懐中電灯は購入していても何処に置いたか忘れている人々が多いと思う。
そこで私が発明した本懐中電灯を各家庭の寝室に立てて置いていれば（倒れていれば本懐中電灯が点灯しているのですぐにわかる）、強い地震が発生して停電になっても、本懐中電灯が倒れて自動的に点灯すので、避難用品などを速やかに探すことができ、それだけ早く避難することができる。
【目的を達成するための手段】
【０００４】  この目的を達成するための請求項１は、本懐中電灯を通常は立てて置き、強い地震が発生したときに、本懐中電灯が倒れて（図３参照）自動的に点灯するような機構を内蔵することにより、目的の達成を計った。
【０００５】  また、請求項２は、請求項１を達成するために具体的に説明したものである。
従って、自動点灯機構部の内部構造のみの説明をおこなう。
【発明の効果】
【０００６】  本発明により、本懐中電灯を各家庭の寝室などに立てて置くことにより、夜中に強い地震が発生して停電になっても、本懐中電灯が倒れて自動的に点灯するので、避難用品等を速やかに探すことができ、それだけ早く避難することができるようになった。
【発明を実施するための最良の形態】
【０００７】  本懐中電灯は、図１に画いているように、従来の懐中電灯の部分と自動点灯機構部とに分けている。
ここでは懐中電灯の部分の説明は省略して、自動点灯機構部のみの説明をすることにする。
図１は、本懐中電灯が立っているときの自動点灯機構部の断面図である。
但し、実際の製造では、懐中電灯の部分と自動点灯機構部とは一体になる必要がある。【０００８】  自動点灯機構部は、更にまた、図１に示すように非伝導性の円筒の容器１と容器の蓋２とに分けられ、円筒の容器１の底には下向きの銅製のラッパ状のもの３が、中央にしっかりと固定される。
容器の蓋２の底には上向きの銅製のラッパ状のもの４が、中央にしっかりと固定される。【０００９】  円筒の容器１と容器の蓋２には、互いにネジが刻みこまれていて、容器の蓋が完全に閉められた状態において、下向きの銅製のラッパ状のもの３と上向きの銅製のラッパ状のもの４との間隔が約２〜３ｍｍなければならない。【０００１０】  容器の蓋２を外して、円筒の容器１と容器の蓋２の中に約パチクコの玉の大きさの銅製の玉５を入れて、容器の蓋２を完全に閉じると図１のようになる。
更に、下向きの銅製のラッパ状のもの３と上向きの銅製のラッパ状のもの４とにコーテング状の導線６、７をそれぞれ接続（ハンダ付けなどにて）し、この導線の反対の端を懐中電灯の部分のスイッチにパラレルに接続する。【０００１１】  図３は本懐中電灯が右側に倒れた状態を画いた図であるが、３６０°何れの方向に倒れてもこのような状態になる。
このような状態になると下向きの銅製のラッパ状のもの３と上向きの銅製のラッパ状のもの４とが、銅製の玉５を通して導通状態になり、本懐中電灯が自動的に点灯するのである。
【産業上の利用可能性】
【０００１２】  本懐中電灯は、工業的に量産することが可能であるため、産業上の利用可能性を有するばかりではなく、一般の家庭の各部屋や病院の病棟の各部屋に置いていれば、多くの人命を救うことができるはずである。
【図面の簡単な説明】
【０００１３】
【図１】本懐中電灯が立っている状態の断面図である。
【図２】本懐中電灯が立っている状態の底面図である。
【図３】本懐中電灯が右に倒れている状態の断面図である。
【符号の説明】
【０００１４】１  円筒の容器
２  容器の蓋
３  下向きの銅製のラッパ状のもの
４  上向きの銅製のラッパ状のもの
５  銅製の玉
６  コーテイング状の導線
７  コーテイング状の導線
【図１】
2006073492.tif 000003
【図２】
2006073492.tif 000004
【図３】
2006073492.tif 000005